(57)【要約】      （修正有）【課題】観察者が二次元画像に強い立体感又は奥行き感を得ることができる、表示装置を提供する。また、観察者が、二次元画像に自然な立体感又は奥行き感を得ることができる、表示装置を提供する。【解決手段】枠部１０１と、枠部側に表示面を有し、枠部と間隔を空けて位置する表示部１０３と、を有し、表示部は枠部の開口と重なり、かつ、表示部の端部は枠部と重なり、枠部と表示部の間隔が可変である、表示装置を提供する。【選択図】図１
2019144572.tif 000002
【特許請求の範囲】
【請求項１】
表示部と、
前記表示部と間隔をあけて配置された枠部と、
前記表示部と前記枠部との間隔を可変とする駆動部と、を有する表示装置。
【請求項２】
請求項１において、
前記枠部は着脱自在に取り付けられている表示装置。
【発明の詳細な説明】
【技術分野】
【０００１】
本発明の一態様は、表示装置、半導体装置、発光装置、液晶表示装置等の装置、及び該装
置に用いることができる枠に関する。
【０００２】
なお、本発明の一態様は、上記の技術分野に限定されない。本明細書等で開示する発明の
一態様は、物、方法、又は製造方法に関する。本発明の一態様は、プロセス、マシン、マ
ニュファクチャ、又は組成物（コンポジション・オブ・マター）に関する。そのため、よ
り具体的に本明細書で開示する本発明の一態様の技術分野としては、表示装置、半導体装
置、発光装置、蓄電装置、記憶装置、電子機器、照明装置、入力装置（例えば、タッチセ
ンサなど）、出力装置、入出力装置（例えば、タッチパネルなど）、それらの駆動方法、
又は、それらの製造方法を一例として挙げることができる。
【背景技術】
【０００３】
テレビ受像機などの大型表示装置から携帯電話などの小型表示装置に至るまで様々な表示
装置が市場に普及している。付加価値がより高い製品の一として、より臨場感のある画像
を再現するため、立体画像の表示が可能な表示装置の開発が進められている。
【０００４】
人間が物体を立体として認識する生理的要因としては、両眼視差、輻輳、ピント調節、運
動視差、像の大きさ、空間配置、明暗の差、陰影等が挙げられる。
【０００５】
例えば、両眼視差を利用して立体画像を表示する表示装置が知られている。このような表
示装置は、同一画面に左目の位置から見える画像（左目用の画像）と右目の位置から見え
る画像（右目用の画像）とを表示し、観察者は左目で左目用の画像を、右目で右目用の画
像を観察することにより立体画像を観察する。
【０００６】
例えば、メガネ方式を用いる表示装置の一例としては、左目用の画像と右目用の画像を、
メガネに設けたシャッターと同期して、画面に交互に表示する装置がある。これにより、
観察者は左目で左目用の画像を、右目で右目用の画像を、それぞれ交互に観察することで
立体画像を観察する。
【０００７】
また、裸眼での観察が可能な視差バリア方式を用いる表示装置は、画面が左右に並んだ複
数の左目用の領域と右目用の領域（例えば短冊状の領域）に分割され、その境界に視差バ
リアが重ねて設けられている。分割された画面には、左目用の画像と右目用の画像とが同
時に表示される。視差バリアは、右目用の画像が表示される領域を左目から隠し、左目用
の画像が表示される領域を右目から隠す。その結果、観察者は左目で左目用の画像のみを
、右目で右目用の画像のみを同時に観察することにより、立体画像を観察できる。
【０００８】
なお、視差バリアを可変とし、平面画像の表示モードと立体画像の表示モードとを切り替
え可能な表示装置が知られている（特許文献１）。
【０００９】
また、エレクトロルミネッセンス（Ｅｌｅｃｔｒｏｌｕｍｉｎｅｓｃｅｎｃｅ、以下ＥＬ
とも記す）現象を利用した発光素子が知られている。この発光素子は、自発光型であるた
めコントラストが高く、入力信号に対する応答速度が速い。そして、この発光素子を応用
した、消費電力が低減され、製造工程が簡単な、高精細化や基板の大型化への対応が容易
な表示装置が知られている（特許文献２）。
【先行技術文献】
【特許文献】
【００１０】
【特許文献１】国際公開第２００４／００３６３０号
【特許文献２】特開２０１１−２３８９０８号公報
【発明の概要】
【発明が解決しようとする課題】
【００１１】
シャッターを利用したメガネ方式を用いる表示装置では、画面において左目用の画像と右
目用の画像を交互に表示するため、二次元画像の表示を行う場合に比べ、１フレーム期間
における画素部への画像の書き込み回数が増える。したがって、高周波数での駆動が可能
な駆動回路が必要となる他、表示装置の消費電力が高くなる。また、観察者から表示装置
までの物理的距離と、観察者が表示装置を見るときの輻輳角から認知する距離との差が、
観察者の脳を混乱させ、目の疲労、脳の疲労等の現象をもたらすとの事象の存在も指摘さ
れている。
【００１２】
また、視差バリア方式を用いる表示装置では、画素部の水平方向において、左目用の画像
及び右目用の画像の表示に寄与する画素数はそれぞれ、実際の画素数の半分となり、高精
細な画像の表示が妨げられる。
【００１３】
そのため、低消費電力もしくは高精細である表示装置の供給や、観察者にとって快適な視
聴環境の提供が求められている。この事実から、左目用の画像及び右目用の画像といった
両眼視差を含む画像を用いず、二次元画像を用いて、観察者が強い奥行き感又は立体感を
得られる画像を表示することが必要となる。
【００１４】
本発明の一態様は、観察者が、二次元画像に強い立体感又は奥行き感を得ることを目的の
一とする。また、本発明の一態様は、観察者が、二次元画像に自然な（自然に近い）立体
感又は奥行き感を得ることを目的の一とする。
【００１５】
また、本発明の一態様は、新規な表示装置を提供することを目的の一とする。また、本発
明の一態様は、表示装置に用いることができる新規な枠を提供することを目的の一とする
。また、本発明の一態様は、観察者が、二次元画像でも強い立体感又は奥行き感を得るこ
とができる表示装置、又は表示装置に用いることができる枠を提供することを目的の一と
する。また、本発明の一態様は、観察者が、二次元画像でも自然な立体感又は奥行き感を
得ることができる表示装置、又は表示装置に用いることができる枠を提供することを目的
の一とする。また、本発明の一態様は、観察者が、二次元画像でも強い立体感又は奥行き
感を得ることができ、かつ、視覚的疲労が生じにくい表示装置、又は表示装置に用いるこ
とができる枠を提供することを目的の一とする。また、本発明の一態様は、観察者が、二
次元画像でも自然な立体感又は奥行き感を得ることができ、かつ、視覚的疲労が生じにく
い表示装置、又は表示装置に用いることができる枠を提供することを目的の一とする。
【００１６】
なお、これらの課題の記載は、他の課題の存在を妨げるものではない。なお、本発明の一
態様は、これらの課題の全てを解決する必要はないものとする。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【００１７】
本発明の一態様は、枠部と、枠部側に表示面を有し、枠部と間隔を空けて位置する表示部
と、を有し、表示部は枠部の開口と重なり、かつ、表示部の端部は枠部と重なり、枠部と
表示部の間隔が可変である、表示装置である。
【００１８】
本明細書中において、枠部と表示部の間隔とは、表示部の表示面と、枠部の観察者側の面
との間の距離を示す。つまり、表示部の表示面と、枠部の該表示面と対向する面との間の
距離、又は、枠部自体の厚さ（枠部において該表示面と対向する面と、観察者側の面との
間の距離）の少なくとも一方を変えれば、枠部と表示部の間隔を変えることができる。ま
た、枠部と表示部とが接していても、枠部と表示部とは、枠部の厚さ分、間隔を空けて位
置しているといえる。
【００１９】
上記表示装置において、枠部は、表示部に対して着脱自在に取り付けられていることが好
ましい。
【００２０】
上記表示装置において、枠部は、遮光性であってもよい。
【００２１】
また、本発明の一態様は、表示パネルに取り付けることができ、表示パネルとの間隔が可
変である枠部と、画像データが供給され、制御信号を供給することができる演算処理部と
、制御信号が供給され、枠部の表示パネルからの距離を変化させることができる駆動制御
部と、を有し、演算処理部は、画像データを解析することで制御信号を生成する、表示装
置用枠である。
【００２２】
上記表示装置用枠において、駆動制御部に制御され、枠部の位置を変化させることができ
る駆動部を有していてもよい。
【発明の効果】
【００２３】
本発明の一態様によると、観察者が、二次元画像に強い立体感又は奥行き感を得ることが
できる。また、本発明の一態様によると、観察者が、二次元画像に自然な立体感又は奥行
き感を得ることができる。
【００２４】
本発明の一態様では、新規な表示装置を提供することができる。また、本発明の一態様で
は、表示装置に用いることができる新規な枠を提供することができる。また、本発明の一
態様では、観察者が、二次元画像でも強い立体感又は奥行き感を得ることができる表示装
置、又は表示装置に用いることができる新規な枠を提供することができる。また、本発明
の一態様では、観察者が、二次元画像でも自然な立体感又は奥行き感を得ることができる
表示装置、又は表示装置に用いることができる新規な枠を提供することができる。また、
本発明の一態様では、観察者が、二次元画像でも強い立体感又は奥行き感を得ることがで
き、かつ、視覚的疲労が生じにくい表示装置、又は表示装置に用いることができる枠を提
供することができる。また、本発明の一態様では、観察者が、二次元画像でも自然な立体
感又は奥行き感を得ることができ、かつ、視覚的疲労が生じにくい表示装置、又は表示装
置に用いることができる枠を提供することができる。
【００２５】
なお、これらの効果の記載は、他の効果の存在を妨げるものではない。なお、本発明の一
態様は、必ずしも、これらの効果の全てを有する必要はない。なお、これら以外の効果は
、明細書、図面、請求項などの記載から、自ずと明らかとなるものであり、明細書、図面
、請求項などの記載から、これら以外の効果を抽出することが可能である。
【図面の簡単な説明】
【００２６】
【図１】表示装置の一例を示す図。
【図２】表示装置の一例を示す図。
【図３】表示装置の一例を示す図。
【図４】表示装置用枠及び表示装置の一例を示す図。
【図５】表示装置の一例を示す図。
【図６】表示装置の一例を示す図。
【図７】実施例の結果を示す図。
【図８】実施例の結果を示す図。
【図９】表示装置の一例を示す図。
【発明を実施するための形態】
【００２７】
実施の形態について、図面を用いて詳細に説明する。但し、本発明は以下の説明に限定さ
れず、本発明の趣旨及びその範囲から逸脱することなくその形態及び詳細を様々に変更し
得ることは当業者であれば容易に理解される。従って、本発明は以下に示す実施の形態の
記載内容に限定して解釈されるものではない。
【００２８】
なお、以下に説明する発明の構成において、同一部分又は同様な機能を有する部分には同
一の符号を異なる図面間で共通して用い、その繰り返しの説明は省略する。また、同様の
機能を指す場合には、ハッチパターンを同じくし、特に符号を付さない場合がある。
【００２９】
また、図面等において示す各構成の、位置、大きさ、範囲などは、理解の簡単のため、実
際の位置、大きさ、範囲などを表していない場合がある。このため、開示する発明は、必
ずしも、図面等に開示された位置、大きさ、範囲などに限定されない。
【００３０】
以下では、本発明の一態様の表示装置について図１〜図６を用いて説明する。
【００３１】
本発明の一態様は、枠部と、枠部側に表示面を有し、枠部と間隔を空けて位置する表示部
と、を有し、表示部は枠部の開口と重なり、かつ、表示部の端部は枠部と重なり、枠部と
表示部の間隔が可変である、表示装置である。
【００３２】
本発明の一態様の表示装置は、観察者と表示部の間に枠部を有することで、観察者が表示
部の位置を実際とは異なる位置に錯覚し、脳で立体情報に補正がかかり、二次元画像に立
体感や奥行き感を得ることができる。
【００３３】
表示装置において、表示部と枠部の間隔が一定であると、不具合が生じる場合がある。例
えば、観察者によって立体感や奥行き感の得られ方が異なり、表示部と枠部の適切な間隔
に個人差がある場合がある。観察者にとって適した位置に枠部が設けられていないことで
、観察者は二次元画像に立体感や奥行き感を得にくい場合がある。逆に、立体感や奥行き
感が強すぎると、脳や目への負荷が大きくなり、観察者の疲労感が強まる場合がある。ま
た、表示部に表示する画像によって、観察者が得られる立体感や奥行き感の強弱に意図せ
ず変化が出てしまう、又は変化を出したいが出せない場合などがある。
【００３４】
上記の本発明の一態様の表示装置では、枠部と表示部の間隔が可変である。したがって、
観察者にとって自然な立体感が得られ、かつ、疲れにくいように、枠部と表示部の間隔を
調整することができる。また、表示部に表示する画像に応じて枠部と表示部の間隔を調整
することで、意図しない立体感や奥行き感の強弱の変化を抑制する、又は意図して立体感
や奥行き感の強弱を変化させることができる。これにより、本発明の一態様の表示装置で
は、観察者が、二次元画像に強い立体感や奥行き感を得ることができ、かつ、視覚的に疲
れにくい。
【００３５】
なお、枠部と表示部の間隔の制御は、観察者自身が行っても、表示装置や枠部が自動で行
ってもよい。また、枠部と表示部の間隔は、表示部での画像の再生中に変わってもよい。
または、画像の再生中は一定で、停止中に変更できる仕様であってもよい。
【００３６】
図１（Ａ）に示す表示装置の斜視図と、図１（Ｂ）に示す該表示装置の正面図（表示面側
から見た図）及び上面図を用いて、本発明の一態様の表示装置における表示部と枠部の位
置関係を説明する。
【００３７】
図１（Ａ）、（Ｂ）に示す表示装置は、表示部１０３を有する表示パネル１０と、枠部１
０１とを含む。表示部１０３は、表示面を枠部１０１側に有する。表示部１０３と枠部１
０１は間隔Ｌを空けて位置する。表示部１０３は枠部１０１の開口と重なり、かつ表示部
１０３の端部は枠部１０１と重なっている。
【００３８】
本明細書中において、枠部１０１と表示部１０３の間隔Ｌとは、表示部１０３の表示面と
、枠部１０１の観察者側の面との間の距離を示す。つまり、表示部１０３の表示面と、該
表示面と対向する枠部１０１の面との間の距離、又は、枠部１０１自体の厚さ（枠部１０
１において該表示面と対向する面と、観察者側の面との間の距離）の少なくとも一方を変
えれば、枠部１０１と表示部１０３の間隔Ｌを変えることができる。また、枠部１０１と
表示部１０３とが接していても、枠部１０１と表示部１０３とは、枠部１０１の厚さ分、
間隔を空けて位置しているといえる。
【００３９】
例えば、枠部１０１と表示部１０３の間隔Ｌは、１ｍｍ以上、好ましくは１ｃｍ以上、よ
り好ましくは５ｃｍ以上であると、観察者が、二次元画像に強い立体感や奥行き感を得ら
れる。
【００４０】
枠部１０１と表示部１０３の間隔は、表示部１０３の端部や中央部など、位置によって異
なる場合があるが、少なくとも一部で０より大きければよく、好ましくは１ｍｍ以上あれ
ばよい。特に、表示部１０３の表示面と、枠部１０１の観察者側の面との間の最短距離が
１ｃｍ以上、より好ましくは５ｃｍ以上であると、観察者が、表示部全体に表示された二
次元画像に強い立体感や奥行き感を得られ、好ましい。
【００４１】
図１（Ｂ）では、表示部１０３の四辺が枠部１０１と重なっている場合を示す。本発明は
これに限られず、表示部１０３の少なくとも一部が枠部１０１と重なっていればよい。例
えば、表示部１０３の対向する二辺のみが枠部１０１と重なっていてもよい。
【００４２】
また、図１（Ｂ）では、表示部１０３の長辺Ｗ１が枠部１０１の開口の長辺Ｗ２よりも長
く、表示部１０３の短辺が、枠部１０１の開口の短辺よりも長い場合を示す。本発明はこ
れに限られず、例えば、長辺又は短辺のいずれか一方について、枠部１０１の開口よりも
表示部１０３の方が長くてもよい。
【００４３】
また、例えば、観察者から見える割合が表示部１０３における表示の５０％未満であって
も、観察者は立体感や奥行き感を得ることはできるが、表示の全容の把握が困難になる、
表示が不自然に見える、又は疲労感が強まる場合がある。よって、表示装置の表示面に正
対した観察者が、枠部の開口を通して、表示部１０３における表示の５０％以上、より好
ましくは７０％以上、さらに好ましくは９０％以上を観察できることが好ましい。
【００４４】
表示装置の観察者（図１（Ｂ）の右目３０Ｒ及び左目３０Ｌ参照）は、枠部１０１の開口
を通して表示部１０３に表示された二次元画像（静止画像又は動画像）を観察する。枠部
１０１の開口を通して表示部１０３の表示を観察することで、観察者は、枠部１０１の開
口を通さずに表示部１０３を観察する場合に比べて、二次元画像に強い立体感や奥行き感
を得ることができる。
【００４５】
観察者は片目で表示部１０３を観察しても、二次元画像に強い立体感や奥行き感を得るこ
とができる。観察者は、両目で表示部１０３を観察し、左右の目に入る情報に差を生じさ
せることで、二次元画像により強い立体感や奥行き感を得ることができる。
【００４６】
なお、枠部１０１は、着脱自在に取り付けられていてもよい。表示部１０３で、立体感や
奥行き感を要さない表示を行う際などに、枠部１０１を用いずに、表示装置を使用するこ
とができる。また、それぞれ厚さが異なる複数の着脱自在の枠部１０１を用意し、枠部１
０１を付け替えることで、枠部１０１と表示部１０３の間隔を調整してもよい。
【００４７】
また、図２（Ａ）〜（Ｃ）に本発明の一態様の表示装置を示す。図２（Ａ）は、表示装置
の正面図（表示面側の図）であり、図２（Ｂ）は、表示装置の側面図であり、図２（Ｃ）
は表示装置の斜視図である。
【００４８】
図２（Ａ）〜（Ｃ）に示す表示装置は、表示部１０３と、枠部１０１とを含む。表示部１
０３は、表示面を枠部１０１側に有する。表示部１０３と枠部１０１は間隔Ｌを空けて位
置する。構造体２０に固定された駆動部１０２ａ、ｂの長さによって、表示部１０３と枠
部１０１の間隔Ｌを調整することができる。表示部１０３は枠部１０１の開口と重なり、
かつ表示部１０３の端部は枠部１０１と重なっている。
【００４９】
図２（Ａ）〜（Ｃ）では、表示装置が駆動部を２つ有する例を示したが、本発明はこれに
限定されず、例えば、駆動部を有していなくてもよいし、駆動部を１つ、又は３つ以上有
していてもよい。複数の駆動部はそれぞれ独立に駆動してもよいし、同期して駆動しても
よい。
【００５０】
枠部１０１や駆動部１０２ａ、ｂは、着脱自在に取り付けられていてもよい。
【００５１】
駆動部１０２ａ、ｂは、連続的に表示部１０３と枠部１０１の間隔Ｌを変更する機能を有
していてもよい。これにより、観察者は枠部１０１の位置を無段階で調節することができ
、表示部１０３と枠部１０１の間隔Ｌを任意で決定できる。また、駆動部１０２ａ、ｂは
、段階的に表示部１０３と枠部１０１の間隔Ｌを変更する機能を有していてもよい。これ
により、観察者が、表示部１０３と枠部１０１の間隔Ｌを複数の値から選べる構成とする
ことができる。段階的に表示部１０３と枠部１０１の間隔Ｌを変更する機能を有する駆動
部を適用することで、連続的に表示部１０３と枠部１０１の間隔Ｌを変更する機能を有す
る駆動部を適用する場合に比べて、表示装置や表示装置用枠の作製コストを削減すること
ができる。
【００５２】
なお、駆動部１０２ａ、ｂや枠部１０１は、表示パネルなど、表示装置を構成する部材に
取り付けられていてもよいし、表示装置を配置する壁面や床面に取り付けてもよい。つま
り、構造体２０は、表示装置に含まれていてもよいし、含まれなくてもよい。
【００５３】
図３（Ａ）〜（Ｄ）に本発明の一態様の表示装置を示す。該表示装置は、４つの駆動部（
駆動部１０２ａ〜ｄ）と、処理部１０９と、を有する点で、図２（Ａ）〜（Ｃ）に示す表
示装置と異なる。
【００５４】
図３（Ａ）、（Ｂ）は枠部１０１が表示部１０３に対して平行でない場合の一例である。
図３（Ａ）は、表示装置の上面図であり、図３（Ｂ）は、表示装置の斜視図である。
【００５５】
図３（Ｃ）、（Ｄ）は、枠部１０１が表示部１０３に対して平行でない場合の別の一例で
ある。図３（Ｃ）は、表示装置の斜視図であり、図３（Ｄ）は、表示装置の側面図である
。
【００５６】
図３（Ａ）〜（Ｄ）に示すように、枠部１０１と表示部１０３は平行でなくてもよい。例
えば、図３（Ａ）、（Ｂ）では、枠部１０１と表示部１０３の間隔が左にいくほど広くな
る場合、図３（Ｃ）、（Ｄ）では、枠部１０１と表示部１０３の間隔が上にいくほど広く
なる場合を示す。枠部１０１が表示面に対して傾きを有することで、観察者が、二次元画
像により強い立体感や奥行き感を得ることができる場合があり、好ましい。
【００５７】
図３（Ａ）〜（Ｄ）に示す表示装置は、処理部１０９を有する。処理部１０９を有するこ
とで、例えば、動画像の内容に応じて、枠部１０１と表示部１０３の間隔や、枠部１０１
の表示部１０３に対する傾きを変化させることができる。これにより、観察者が、二次元
画像により強い立体感や奥行き感を得ることができ、好ましい。
【００５８】
具体的には、例えば、移動体が観察者側に向かってくるような動画を表示する際には、枠
部１０１が観察者側に向かってくるように、枠部１０１と表示部１０３の間隔を広げれば
よい。
【００５９】
処理部１０９を有する表示装置用枠、及び表示装置の構成例を図４（Ａ）、（Ｂ）にそれ
ぞれ示す。なお、表示装置用枠は、表示パネルに取り付ける構成のほか、観察者の頭部に
装着する構成としてもよい。
【００６０】
処理部１０９は、図４（Ａ）、（Ｂ）に示す演算処理部、記憶部、駆動制御部を有する。
【００６１】
演算処理部には、表示部１０３で表示する画像データが供給される。演算処理部は、供給
された画像データを解析することで、制御信号を生成する。
【００６２】
画像データの解析としては、スペクトル解析（内容分析など）、広がりや動きの検出（ズ
ームイン・ズームアウト、パン・チルト（パンニング）、動きの速度、動きの方向などの
検出）等が挙げられる。
【００６３】
また、演算処理部に音声データが供給される場合は、供給された音声データを解析するこ
とで制御信号を生成してもよい。また、画像データ及び音声データの双方の解析結果に基
づいて制御信号を生成してもよい。
【００６４】
音声データの解析としては、スペクトル解析（内容分析など）、音源分析、音楽や人の声
等の分離抽出等が挙げられる。
【００６５】
さらに、表示部を観察している際の観察者の焦点距離や視線を検出した結果や立体感、疲
労感などの感性評価の結果などのデータが、演算処理部に供給される場合は、これらのデ
ータを解析することで、制御信号を生成してもよい。
【００６６】
また、観察者が立体感の強弱、有無、又は枠部と表示部の間隔等を選択することができ、
該選択に基づく信号が演算処理部に供給されてもよい。演算処理部では、該信号に応じた
制御信号を生成してもよい。
【００６７】
記憶部は、演算処理部における演算に用いる情報や演算結果等を記憶することができる。
【００６８】
駆動制御部には、演算処理部で生成された制御信号が供給され、該制御信号に基づき、枠
部と表示パネルとの間隔を変化させることができる。枠部を直接動かしてもよいし、駆動
部を動かすことで間接的に枠部を動かし、枠部と表示パネルとの間隔を変化させてもよい
。
【００６９】
図５（Ａ）〜（Ｄ）に本発明の一態様の表示装置と、該表示装置が有する表示パネルを示
す。
【００７０】
図５（Ａ）に示す表示装置は、枠部と、表示パネル４０を有する。枠部は、第１の枠部１
０１ａ、第２の枠部１０１ｂ、及び第３の枠部１０１ｃからなる。表示パネル４０（図５
（Ｂ）参照）は表示部１０３を有する。表示部１０３は、第１の枠部１０１ａの開口、第
２の枠部１０１ｂの開口、及び第３の枠部１０１ｃの開口と重なり、かつ、表示部１０３
の端部は第１の枠部１０１ａ、第２の枠部１０１ｂ、及び第３の枠部１０１ｃのうちいず
れか一以上と重なる。
【００７１】
図５（Ｃ）、（Ｄ）に示すように、第３の枠部１０１ｃは、内部に表示パネル４０を収め
ることができる。表示パネル４０と枠部は一体であってもよいし、枠部から表示パネル４
０が取り出せ、それぞれ独立に用いることができてもよい。
【００７２】
また、図５（Ｃ）、（Ｄ）に示すように、第１の枠部１０１ａが、表示部１０３の表示面
に垂直な方向に可動であるため、枠部と表示部の間隔を調整することができる。
【００７３】
また、図６（Ａ）〜（Ｄ）に本発明の一態様の表示装置を示す。
【００７４】
図６（Ａ）〜（Ｄ）に示す表示装置は、着脱可能な枠部と、表示パネル４０を有する。枠
部は、第１の枠部１０１ａ及び第２の枠部１０１ｂからなる。表示パネル４０（図５（Ｂ
）参照）は表示部１０３を有する。
【００７５】
図６（Ｃ）、（Ｄ）に示すように、枠部は、留め具１０４（又はフック）を用いて表示パ
ネル４０に取り付けることができる。また、図６（Ｃ）、（Ｄ）に示すように、第１の枠
部１０１ａが、表示部１０３の表示面に垂直な方向に可動であるため、枠部と表示部の間
隔を調整することができる。
【００７６】
＜枠部＞
枠部の開口は、観察者が表示部の表示を視認できる程度の透光性を有していればよく、空
間であってもよい。また、ガラス、樹脂等の可視光を透過する材料を用いた板材やフィル
ム等が表示部と重なっていてもよい。
【００７７】
観察者にとって、枠部を介して観察できる表示は、枠部の開口から観察できる表示に比べ
て、不明瞭又は不鮮明である。枠部は、すりガラス、フロストガラス等の透光性を有する
材料で形成されていてもよい。枠部は、観察者が枠部を介して表示部を視認するのが困難
である程度の遮光性を有していてもよく、可視光を透過しない材料で形成されていてもよ
い。
【００７８】
枠部に用いる材料は特に問わない。例えば、ガラス、石英、セラミック、サファイア、金
属、有機樹脂、紙、木材等の材料を用いることができる。
【００７９】
枠部の色は問わない。例えば、黒色、白色、青色、緑色、赤色等であってもよい。表示内
容への没入感を高めるには、黒色が好ましい。
【００８０】
＜表示部＞
本発明の一態様の表示装置は、面状に画像を表示することができる表示部を有するもので
あればよい。なお、本明細書中における画像は、静止画像又は動画像（映像）のいずれで
あってもよい。
【００８１】
例えば、表示部としては、写真、絵画、イラスト等の各種画像が表示された、紙、布、樹
脂フィルム、木材等のシート状又は板状の部材が挙げられる。
【００８２】
また、表示部は、表示素子を有していてもよい。表示部が有する表示素子、又は表示部の
一例としては、ＥＬ素子（有機物及び無機物を含むＥＬ素子、有機ＥＬ素子、無機ＥＬ素
子）、ＬＥＤ（白色ＬＥＤ、赤色ＬＥＤ、緑色ＬＥＤ、青色ＬＥＤなど）、トランジスタ
（電流に応じて発光するトランジスタ）、電子放出素子、液晶素子、電子インク、電気泳
動素子、グレーティングライトバルブ（ＧＬＶ）、プラズマディスプレイパネル（ＰＤＰ
）、ＭＥＭＳ（マイクロ・エレクトロ・メカニカル・システム）を用いた表示素子、デジ
タルマイクロミラーデバイス（ＤＭＤ）、ＤＭＳ（デジタル・マイクロ・シャッター）、
ＩＭＯＤ（インターフェアレンス・モジュレーション）素子、シャッター方式のＭＥＭＳ
表示素子、光干渉方式のＭＥＭＳ表示素子、エレクトロウェッティング素子、圧電セラミ
ックディスプレイ、カーボンナノチューブなど、電気磁気的作用により、コントラスト、
輝度、反射率、透過率などが変化する表示媒体を有するものがある。ＥＬ素子を用いた表
示部の一例としては、ＥＬディスプレイなどがある。電子放出素子を用いた表示部の一例
としては、フィールドエミッションディスプレイ（ＦＥＤ）又はＳＥＤ方式平面型ディス
プレイ（ＳＥＤ：Ｓｕｒｆａｃｅ−ｃｏｎｄｕｃｔｉｏｎ  Ｅｌｅｃｔｒｏｎ−ｅｍｉｔ
ｔｅｒ  Ｄｉｓｐｌａｙ）などがある。液晶素子を用いた表示部の一例としては、液晶デ
ィスプレイ（透過型液晶ディスプレイ、半透過型液晶ディスプレイ、反射型液晶ディスプ
レイ、直視型液晶ディスプレイ、投射型液晶ディスプレイ）などがある。電子インク又は
電気泳動素子を用いた表示部の一例としては、電子ペーパーなどがある。
【００８３】
なお、表示部が有機ＥＬディスプレイであると、液晶ディスプレイに比べて、観察者は二
次元画像に強い立体感や奥行き感を得ることができる傾向が見られた。したがって、本発
明の一態様では、表示部に有機ＥＬディスプレイを用いることが好ましい。
【００８４】
また、表示部は、投射装置によって画像が投射されるスクリーンであってもよい。
【００８５】
本発明の一態様の表示装置が有する表示部、又は本発明の一態様の表示装置は、テレビジ
ョン装置（テレビ、又はテレビジョン受信機ともいう）、コンピュータ用などのモニタ、
デジタルフォトフレーム、携帯電話機（携帯電話、携帯電話装置ともいう）、携帯型ゲー
ム機、携帯情報端末、音響再生装置、パチンコ機などの大型ゲーム機等の電子機器であっ
てもよい。つまり、本発明の一態様において、電子機器（表示部に相当）に別途枠部を取
り付けてもよいし、枠部は電子機器（表示装置に相当）に含まれていてもよい。または、
上記電子機器が、本発明の一態様の表示装置を有していてもよい。
【００８６】
本発明の一態様の表示装置は、アミューズメント施設（遊園地、ゲームセンター、テーマ
パーク等）、劇場、又は映画館等に用いることができる。例えば、アトラクションの内容
に応じて、枠部と表示部の間隔を変化させることで、観察者が、二次元画像に強い立体感
や奥行き感を得ることができる。
【００８７】
上述の通り、本発明の一態様において、表示部としては、写真、絵画等を適用することが
できる。また、本発明の一態様の表示装置用枠は、絵画、美術品、写真等を展示するのに
用いることができる。図９には、額縁２００を枠部として、絵画２０１を表示部として有
する表示装置の例を示す。図９（Ａ）には、会議室等の部屋で、本発明の一態様の表示装
置を用いて絵画２０１を飾る例を示す。特に、絵画２０１として風景画又は自然画等を用
いる場合には、観察者は強い立体感、奥行き感に加え、自然の中にいるような解放感を得
ることができる。図９（Ｂ）には、美術館や展覧会で、本発明の一態様の表示装置を用い
て絵画２０１を展示する例を示す。図９（Ｂ）では、額縁２００が、四隅に駆動部（図９
（Ｂ）では駆動部２０２ａ、ｂを示す）を有する。絵画２０１の内容に応じ、駆動部を用
いて絵画２０１と額縁２００の間隔を変化させることができるため、観察者は、内容の違
う絵画２０１それぞれに、強い立体感や奥行き感を得ることができる。また、観察者によ
って絵画２０１と額縁２００の適切な間隔は異なる場合があるが、本発明の一態様では、
観察者にとって自然な立体感が得られ、かつ、疲れにくいように、駆動部を用いて該間隔
を調整することができる。
【００８８】
以上に示したように、本発明の一態様の表示装置では、枠部と表示部の間隔が可変である
。したがって、個人差や表示内容によらず、観察者が二次元画像に強い立体感や奥行き感
を得ることができる。また、観察者にとって好ましい間隔で枠部と表示部を設けることで
、枠部と表示部が観察者にとって好ましくない間隔で固定された場合と比較して、観察者
に与える疲労感を低減できる。
【００８９】
なお、本発明の一態様の表示装置は、目が疲れにくい、目に優しい表示装置の一態様であ
る。本発明の一態様の表示装置は、目に優しい表示装置の要素技術（Ｒｅｄｕｃｉｎｇ  
Ｅｙｅ  Ｓｔｒａｉｎ  Ｔｅｃｈｎｏｌｏｇｙ、ＲＥＳＴともいう）が適用されている、
といえる。
【実施例】
【００９０】
本実施例では、表示装置に表示した二次元画像に、観察者が立体感を得られるかを検証す
るために行った感性評価の結果について説明する。
【００９１】
感性評価に用いた表示装置は、遮光性の枠部と、枠部側に表示面を有し、枠部と間隔を空
けて位置する表示部と、を有する。表示部は枠部の開口と重なり、かつ、表示部の端部は
枠部と重なる。枠部と表示部の間隔は可変である。また、比較として、枠部を有さない表
示装置も用いた。
【００９２】
遮光性の枠部には、黒色の画用紙を用いた。表示部には、解像度がＱｕａｒｔｅｒ  ＨＤ
（Ｈｉｇｈ  Ｄｅｆｉｎｉｔｉｏｎ）、（９６０×５４０）の７．４型有機ＥＬパネルを
用いた。
【００９３】
特に記載のない限り、枠部と表示部（表示面）は概略平行であり、観察者は表示部に表示
された動画像を正面から見るものとする。観察者と表示部の間隔は、５０ｃｍとした。評
価は暗室にて行った。
【００９４】
枠部と表示部の間隔は、１ｃｍ、５ｃｍ、１０ｃｍ、及び２０ｃｍの４通りとした。
【００９５】
観察者と表示部の間隔が５０ｃｍであるとき、遮光性の枠部の開口と表示部の大きさが、
観察者から見て概略同一となる（枠部の内枠（開口の外周）と表示部の端部が概略揃う、
ともいえる）条件は、枠部から表示部までの距離が２０ｃｍのときである。したがって、
枠部から表示部までの距離が２０ｃｍを超えると、観察者は、枠部の開口を通して表示部
の端部を視認できる。
【００９６】
観察者は、同一の動画像について、枠部の開口を通して表示部を観察した場合と、枠部の
開口を通さずに表示部を観察した場合を比較し、立体感、奥行き感、及び自然さに差があ
るかを評価した。観察者は１１人とした。
【００９７】
評価には、ＳＤ（Ｓｅｍａｎｔｉｃ  Ｄｉｆｆｅｒｅｎｔｉａｌ）法を用いた。具体的に
は、観察者は、枠部の開口を通さずに表示部を観察した場合を基準として、枠部の開口を
通して表示部を観察した場合の動画像の立体感、奥行き感、及び自然さを、５段階（「と
ても強い（＋２）」、「強い（＋１）」、「変わらない（０）」、「弱い（−１）」、「
とても弱い（−２）」）で評価した。
【００９８】
図７（Ａ）、（Ｂ）、及び図８に、評価結果を示す。各図において、横軸は、枠部と表示
部の間隔を示す。評価結果では、観察者１１人の評価の得点の平均を示す。
【００９９】
図７（Ａ）より、枠部と表示部の間隔によらず、枠部の開口を通さずに表示部を観察した
場合に比べて、枠部の開口を通して表示部を観察した場合は、画像の立体感が強まったこ
とがわかる。特に、枠部と表示部の間隔が大きいほど、観察者は表示部の画像に強い立体
感を得られたことがわかった。
【０１００】
また、図７（Ｂ）より、枠部と表示部の間隔によらず、枠部の開口を通さずに表示部を観
察した場合に比べて、枠部の開口を通して表示部を観察した場合は、画像の奥行き感が強
まったことがわかる。特に、枠部と表示部の間隔が大きいと、観察者は表示部の画像に強
い奥行き感を得られる傾向が見られた。
【０１０１】
また、図８より、枠部の開口を通さずに表示部を観察した場合と枠部の開口を通して表示
部を観察した場合とでは、画像の自然さは変わらなかった、又は、枠部の開口を通して表
示部を観察した場合の方が、画像が自然に見えたことがわかる。
【０１０２】
なお、図示しないが、枠部の開口を通して表示部の端部が視認できると、枠部の開口を通
さずに表示部を観察した場合に比べて強い立体感や奥行き感を得られにくい、さらには立
体感や奥行き感が弱まるという結果も得られた。また、枠部の開口を通して表示部の端部
が視認できると、疲労感が強まる、不自然に見えるという結果も得られた。このことから
、本発明の一態様の表示装置において、表示部の端部が枠部と重なり、観察者が表示部の
端部を視認しないように、枠部と表示部の間隔を制御できることが好ましい。
【０１０３】
以上のことから、本実施例で用いた枠部を有する表示装置では、枠部を有さない表示装置
に比べて、観察者が、二次元画像に強い立体感や奥行き感を得られたことがわかった。
【符号の説明】
【０１０４】
１０    表示パネル
２０    構造体
３０Ｌ    左目
３０Ｒ    右目
４０    表示パネル
１０１    枠部
１０１ａ〜ｃ    枠部
１０２ａ〜ｄ    駆動部
１０３    表示部
１０４    留め具
１０９    処理部
２００    額縁
２０１    絵画
２０２ａ〜ｂ    駆動部
【図１】
2019144572.tif 000003
【図２】
2019144572.tif 000004
【図３】
2019144572.tif 000005
【図４】
2019144572.tif 000006
【図５】
2019144572.tif 000007
【図６】
2019144572.tif 000008
【図７】
2019144572.tif 000009
【図８】
2019144572.tif 000010
【図９】
2019144572.tif 000011